(57)【要約】【課題】入力機器や出力機器を電子計算機本体の設置場所から離隔する位置で接続可能にすることにより、その背面側が乱雑になってしまうことをなくして、電子計算機に入力機器などを容易に接続することのできる電子計算機用ケーブルを提供すること。【解決手段】ＰＣにモニタ１２、キーボード１３、マウス１４を接続する統合ケーブル１０であって、モニタケーブル２２、キーボードケーブル２３、マウスケーブル２４が束ねられて、その一端部にＰＣ側のコネクタに接続するコネクタ１２ｄ〜１４ｄを備えるとともに、その他端部では、モニタケーブルのケーブル側モニタコネクタ１２ｅの近傍の接続ボックス２５内にキーボードケーブルとマウスケーブルが引き込まれてそのキーボードやマウスからのケーブルのコネクタを接続可能なＰＣ側と同一種のコネクタ１３ａ、１４ａがその接続ボックスに設置されている。【選択図】図１
2008242937.tif 000002
【特許請求の範囲】
【請求項１】
外部機器の入力機器と出力機器に接続されて該入力機器からの各種入力情報に基づく処理情報を該出力機器に出力する電子計算機に、当該入力機器と出力機器を接続する電子計算機用ケーブルであって、
電子計算機に接続する外部機器分の該電子計算機との接続手段を有する集合接続部と、電子計算機に接続する一つまたは二つ以上の第１外部機器との接続手段を有する第１接続部と、がケーブルの両端部にそれぞれ配設されており、
第１外部機器と異なる別の一つまたは二つ以上の第２外部機器が電子計算機に接続可能な接続手段を一端側に有する別ケーブルを備えているのに対して、
該第２外部機器からの別ケーブルの一端部に有する一つまたは二つ以上の接続手段の別接続部を接続可能に設計されている第２接続部が、集合接続部および第１接続部の間のケーブル途中の当該第１接続部の近傍に設けられていることを特徴とする電子計算機用ケーブル。
【請求項２】
前記第２接続部は、近接する第１接続部に対する相対的姿勢を変更可能に設計されていることを特徴とする請求項１に記載の電子計算機用ケーブル。
【請求項３】
前記第２接続部は、第１接続部と一体に形成されていることを特徴とする請求項１または２に記載の電子計算機用ケーブル。
【請求項４】
前記第１接続部も第２接続部と同様に、第１外部機器からの別ケーブルの一端側に有する一つまたは二つ以上の接続手段の別接続部を接続可能に設計されていることを特徴とする請求項３に記載の電子計算機用ケーブル。
【請求項５】
前記第１、第２接続部は、第１、第２外部機器あるいは別の部材に固定する固定手段を有することを特徴とする請求項４に記載の電子計算機用ケーブル。
【請求項６】
前記第２接続部は、第１接続部の近傍のケーブル途中から分岐された分岐ケーブルの端部に設けられていることを特徴とする請求項１または２に記載の電子計算機用ケーブル。
【請求項７】
前記第２接続部は、第１、第２外部機器あるいは別の部材に固定する固定手段を有することを特徴とする請求項６に記載の電子計算機用ケーブル。
【請求項８】
前記第１接続部は、外部機器として、処理情報を表示出力する表示出力機器に接続可能に設計されており、
前記第２接続部は、外部機器として、処理情報を音声出力する音声出力機器あるいは別の出力機器、各種情報を入力するキーボード入力機器またはマウス入力機器あるいは別の入力機器のうちの、一つ、二つ、あるいは三つ以上からの別ケーブル端部の別接続部を接続可能に設計されていることを特徴とする請求項１から７のいずれかに記載の電子計算機用ケーブル。
【請求項９】
前記集合接続部および第２接続部は、外部機器をＵＳＢ接続する端子が準備されていることを特徴とする請求項１から８のいずれかに記載の電子計算機用ケーブル。
【請求項１０】
前記集合接続部は、外部機器毎に対応する多極の接続端子を一体に配設されている接続手段として設計されていることを特徴とする請求項１から９のいずれかに記載の電子計算機用ケーブル。
【発明の詳細な説明】
【技術分野】
【０００１】
本発明は、電子計算機用ケーブルに関し、詳しくは、電子計算機に入力機器や出力機器を接続するケーブルの取り扱いを容易にすることのできるものに関する。
【背景技術】
【０００２】
従来、各種情報を入力して演算処理などをさせることにより所望の出力を得ることのできる電子計算機が知られており、この電子計算機としては、所謂、パーソナルコンピュータ（以下、パソコンやＰＣともいう）が各家庭に普及している。
【０００３】
この種の電子計算機は、各種情報を入出力するための入力機器や出力機器がケーブル接続されており、例えば、パソコンには、キーボードやマウスその他の入力機器（周辺機器）が外部機器としてケーブル接続されているとともに、表示器やスピーカやプリンタその他の出力機器（周辺機器）がケーブル接続されている（例えば、特許文献１参照）。
【０００４】
このパソコンにおいては、入力機器や出力機器のそれぞれとケーブル接続していることから、そのケーブルがパソコンの背面側で絡み合っている乱雑な状態になっていて、接続し直す場合などにはその確認作業や接続作業が煩雑になってしまうなどの不都合がある。この課題を解消するために、パソコンから離隔する位置に設置する表示器の台に入力機器や出力機器を接続可能なポートを準備するとともに、その表示器の台にパソコンからのシリアルバスを接続して各ポートに分配する機能を備えさせることにより、パソコン本体に接続するケーブルを整理することが提案されている（例えば、特許文献２参照）。
【特許文献１】特開２００３−３０８０６３号公報
【特許文献２】特開平１０−１５４５６０号公報
【発明の開示】
【発明が解決しようとする課題】
【０００５】
しかしながら、この文献２に記載のような従来の電子計算機と外部機器（入力機器や出力機器）とのケーブル接続にあっては、特別な機能を備えている表示器用の専用台が必要であり、その表示器自体が高価になってしまうとともに、既存のパソコンなどで使用している表示器が無駄になってしまう、という問題がある。この問題があるために、この文献２に提案されている表示器も普及していない、とも考えられる。
【０００６】
そこで、本発明は、特別な台などを用いることなく、入力機器や出力機器を電子計算機本体の設置場所から離隔する位置で接続可能にすることにより、電子計算機本体の背面側が乱雑になってしまうことをなくして、電子計算機に入力機器や出力機器を容易に接続することのできる電子計算機用ケーブルを提供することを目的とする。
【課題を解決するための手段】
【０００７】
上記課題を解決する電子計算機用ケーブルの第１の発明は、外部機器の入力機器と出力機器に接続されて該入力機器からの各種入力情報に基づく処理情報を該出力機器に出力する電子計算機に、当該入力機器と出力機器を接続する電子計算機用ケーブルであって、電子計算機に接続する外部機器分の該電子計算機との接続手段を有する集合接続部と、電子計算機に接続する一つまたは二つ以上の第１外部機器との接続手段を有する第１接続部と、がケーブルの両端部にそれぞれ配設されており、第１外部機器と異なる別の一つまたは二つ以上の第２外部機器が電子計算機に接続可能な接続手段を一端側に有する別ケーブルを備えているのに対して、該第２外部機器からの別ケーブルの一端部に有する一つまたは二つ以上の接続手段の別接続部を接続可能に設計されている第２接続部が、集合接続部および第１接続部の間のケーブル途中の当該第１接続部の近傍に設けられていることを特徴とするものである。
【０００８】
この発明では、電子計算機用ケーブルの両端部に配設されている集合接続部および第１接続部を電子計算機と第１外部機器に接続した場合には、その第１外部機器（第１接続部）側近傍の第２接続部に第２外部機器の専用ケーブルをそれぞれ接続することができる。この第１外部機器としては、１台でも２台以上でもよいが、例えば、作業位置の近傍に設置される周辺機器などに適用することができ、第２外部機器は、自身の専用ケーブルをそれぞれ第２接続部に接続すればよいので、その専用ケーブルの範囲に設置することができる。したがって、電子計算機と第１外部機器の間は、第２外部機器分も含めた本数分を実質１本に束ねた状態の電子計算機用ケーブルで乱雑になることなく配線することができ、その第２外部機器は第１外部機器の設置位置から容易かつ任意に配線することができる。
【０００９】
上記課題を解決する電子計算機用ケーブルの第２の発明は、上記第１の発明の特定事項に加え、前記第２接続部は、近接する第１接続部に対する相対的姿勢を変更可能に設計されていることを特徴とするものである。
【００１０】
この発明では、第１外部機器に接続した第１接続部に対する第２接続部の姿勢を変更して、第２外部機器の専用ケーブルを容易に接続可能な姿勢に調整することができる。したがって、第１接続部の第１外部機器への接続姿勢により第２外部機器の専用ケーブルを第２接続部に接続することが難しくなってしまうことを回避することができる。
【００１１】
上記課題を解決する電子計算機用ケーブルの第３の発明は、上記第１または第２の発明の特定事項に加え、前記第２接続部は、第１接続部と一体に形成されていることを特徴とするものである。
【００１２】
この発明では、第１外部機器に接続した第１接続部と一体の第２接続部に第２外部機器の専用ケーブルを接続することができ、その第２接続部が第１接続部にぶら下がった状態になることを回避することができる。したがって、第２接続部がブラブラするなどして邪魔になってしまうことなく、第１外部機器側に第２外部機器からの専用ケーブルをすっきりと接続することができる。
【００１３】
上記課題を解決する電子計算機用ケーブルの第４の発明は、上記第３の発明の特定事項に加え、前記第１接続部も第２接続部と同様に、第１外部機器からの別ケーブルの一端側に有する一つまたは二つ以上の接続手段の別接続部を接続可能に設計されていることを特徴とするものである。
【００１４】
この発明では、第１、第２接続部が電子計算機側の集合接続部を外部に引き出した状態になって任意の位置に設置することができ、その第１、第２接続部に第１、第２外部機器の専用ケーブルを接続することができる。したがって、電子計算機の集合接続部の近傍が第１、第２外部機器からの専用ケーブルで乱雑になることなく、その電子計算機から離隔する位置に設置した第１、第２接続部に第１、第２外部機器の専用ケーブルを容易かつ任意に接続して配線することができる。
【００１５】
上記課題を解決する電子計算機用ケーブルの第５の発明は、上記第４の発明の特定事項に加え、前記第１、第２接続部は、第１、第２外部機器あるいは別の部材に固定する固定手段を有することを特徴とするものである。
【００１６】
この発明では、電子計算機側の集合接続部を本発明ケーブルにより外部に引き出した状態の第１、第２接続部を、第１、第２外部機器や他の外部機器などの他の部材に固定して、その第１、第２接続部に第１、第２外部機器の専用ケーブルを接続することができる。したがって、電子計算機から離隔する位置に第１、第２接続部を安定した状態で固定することができ、その第１、第２接続部に第１、第２外部機器の専用ケーブルを容易に接続することができる。
【００１７】
上記課題を解決する電子計算機用ケーブルの第６の発明は、上記第１または第２の発明の特定事項に加え、前記第２接続部は、第１接続部の近傍のケーブル途中から分岐された分岐ケーブルの端部に設けられていることを特徴とするものである。
【００１８】
この発明では、第１外部機器側の第１接続部近傍からの分岐ケーブル端部の第２接続部を任意の位置に設置することができ、その第２接続部に第２外部機器の専用ケーブルを接続することができる。したがって、第２外部機器の専用ケーブルを接続する第２接続部を任意の位置に設置することができ、その第２接続部に第２外部機器の専用ケーブルを容易かつ任意に接続して配線することができる。
【００１９】
上記課題を解決する電子計算機用ケーブルの第７の発明は、上記第６の発明の特定事項に加え、前記第２接続部は、第１、第２外部機器あるいは別の部材に固定する固定手段を有することを特徴とするものである。
【００２０】
この発明では、第１外部機器側の第１接続部近傍からの分岐ケーブル端部の第２接続部を、第１、第２外部機器や他の外部機器などの他の部材に固定して、その第２接続部に第２外部機器の専用ケーブルを接続することができる。したがって、電子計算機から離隔する位置に第２接続部を安定した状態で固定することができ、その第２接続部に第２外部機器の専用ケーブルを容易に接続することができる。
【００２１】
上記課題を解決する電子計算機用ケーブルの第８の発明は、上記第１から第７のいずれかの発明の特定事項に加え、前記第１接続部は、外部機器として、処理情報を表示出力する表示出力機器に接続可能に設計されており、前記第２接続部は、外部機器として、処理情報を音声出力する音声出力機器あるいは別の出力機器、各種情報を入力するキーボード入力機器またはマウス入力機器あるいは別の入力機器のうちの、一つ、二つ、あるいは三つ以上からの別ケーブル端部の別接続部を接続可能に設計されていることを特徴とするものである。
【００２２】
この発明では、電子計算機に集合接続部を接続するとともに、例えば、表示出力機器に第１接続部を接続する一方、その表示出力機器の近傍の第２接続部に、音声出力機器などの出力機器、キーボード入力機器やマウス入力機器などの入力機器の専用ケーブルを接続して配線することができる。したがって、作業位置の近傍に設置する、例えば、表示出力機器から各種出力機器や入力機器をすっきりと配線することができる。
【００２３】
上記課題を解決する電子計算機用ケーブルの第９の発明は、上記第１から第８のいずれかの発明の特定事項に加え、前記集合接続部および第２接続部は、外部機器をＵＳＢ（Universal Serial Bus）接続する端子が準備されていることを特徴とするものである。
【００２４】
この発明では、電子計算機側から配線することなく、ＵＳＢケーブルも第２接続部に接続することができる。したがって、ＵＳＢケーブルが別に配線されて乱雑になってしまうことなく、作業位置までの配線をすることができる。
【００２５】
上記課題を解決する電子計算機用ケーブルの第１０の発明は、上記第１から第９のいずれかの発明の特定事項に加え、前記集合接続部は、外部機器毎に対応する多極の接続端子を一体に配設されている接続手段として設計されていることを特徴とするものである。
【００２６】
この発明では、電子計算機側にも多極の接続端子からなる集合接続部を準備して、その集合接続部同士を接続するだけで、電子計算機側の接続作業を完了することができる。したがって、接続作業を容易化することができるとともに、その多極の接続端子からなる集合接続部を増設することにより電子計算機側の既設の集合接続部とは別系統で接続することができ、外部機器を増設することができる。ここで、この電子計算機側の集合接続部は、多極の接続端子に限らずに、従来の外部機器毎の接続部を配設されているものを増設してもよいことは言うまでもない。
【発明の効果】
【００２７】
このように本発明によれば、本発明に係る電子計算機用ケーブルを準備して電子計算機に接続するだけで、表示出力機器や音声出力機器などの出力機器と、キーボード入力機器やマウス入力機器などの入力機器とを、例えば、その電子計算機から離隔する作業位置近傍でその専用ケーブルを接続して配線することができ、電子計算機側を乱雑することなく、出力機器と入力機器の専用ケーブルを容易に接続・配線することができる。
【発明を実施するための最良の形態】
【００２８】
以下、本発明の最良の実施形態を図面に基づいて説明する。図１〜図９は本発明に係る電子計算機用ケーブルの第１実施形態を示す図である。
【００２９】
図１において、統合ケーブル（電子計算機用ケーブル）１０は、予め格納されているプログラムに従って各種情報に基づく演算処理を行う図２に示すパーソナルコンピュータ（以下、単にＰＣともいう）１１に、各種の出力情報を表示する図３に示すモニタ（第１外部機器の出力機器）１２と、各種の文字情報や命令情報の入力操作を行なう図４に示すキーボード（第２外部機器の入力機器）１３と、各種の位置情報や命令情報の入力操作を行なう図５に示すマウス（第２外部機器の入力機器）１４と、を有線接続するように設計されており、汎用の専用ケーブル（以下、汎用ケーブルともいう）により有線接続する場合と同様に、キーボード１３やマウス１４からの入力情報などに基づいてＰＣ１１が演算処理等したテキスト情報や静止画像や動画像をモニタ１２に表示出力するシステムを構築する。なお、ここでは、ＰＣ１１がキーボード１３やマウス１４からの入力情報に基づく各種情報をモニタ１２に表示出力する場合を一例に説明するが、このＰＣ１１は、外部機器との間で各種情報をやり取りする通信機能やコンパクトディスクなどに読み書きするドライブ機能などの各種機能を利用して、各種情報をモニタ１２に表示出力しても良く、また、モニタ１２やキーボード１３やマウス１４も他の形態のものであってもよく、例えば、モニタ１２として液晶表示装置の形態を図示するが、ＣＲＴのモニタであっても良いことは言うまでもない。
【００３０】
ここで、ＰＣ１１、モニタ１２、キーボード１３およびマウス１４は、一般的な汎用品であり、それぞれ汎用ケーブルの端部と機器本体部に配設されている各種コネクタ（接続手段）同士を結合することにより互いに各種情報をやり取り可能にケーブル接続するようになっている。
【００３１】
具体的には、ＰＣ１１は、図２（ｂ）に示すように、背面側に準備されている接続フレーム１１ｆ内に、ＰＣ側モニタコネクタ１２ａ、ＰＣ側キーボードコネクタ１３ａ、ＰＣ側マウスコネクタ１４ａなどが配設されており、モニタ１２、キーボード１３およびマウス１４などの多くの外部機器からのケーブルを邪魔にならないように背面側に接続するようにレイアウトされている。なお、このＰＣ１１の背面側の接続フレーム１１ｆ内には、後述する他の実施形態で図１３や図１６を用いて説明する、不図示のスピーカに直付けされているスピーカケーブル１５ｃの端部のスピーカプラグ（コネクタ）１５ｄを結合・接続するスピーカジャック（コネクタ）１５ａや、ＵＳＢケーブル１６ｃの端部のケーブル側ＵＳＢコネクタ１６ｄを結合・接続するＰＣ側ＵＳＢコネクタ１６ａも準備されており、これらの各種コネクタは、ここでは詳細には説明しないが、それぞれの種別に応じたコネクタ構造が採用されている。
【００３２】
モニタ１２は、図７に示すように、背面側に準備されている接続フレーム１２ｆ内に、モニタ側コネクタ１２ｂが配置されており、本発明に係る統合ケーブル１０を用いなくても、図６に示す汎用モニタケーブル１２ｃの両端部に設けられているケーブル側モニタコネクタ１２ｄ、１２ｅをそのモニタ側コネクタ１２ｂとＰＣ１１のＰＣ側モニタコネクタ１２ａにそれぞれ結合させて接続することによりＰＣ１１からの出力情報を表示出力可能に受け取ることができる。なお、このケーブル側モニタコネクタ１２ｄ、１２ｅとＰＣ側モニタコネクタ１２ａおよびモニタ側コネクタ１２ｂは、電気信号をやり取りするのに必要な本数のピン電極と差込穴電極がそれぞれ組合結合させるハウジング内に配設されているコネクタ構造に設計されており、そのピン電極と差込穴電極とを導通接触させて電気的に接続させている状態を維持するように、そのハウジングの両側に立設されている雄ネジＭと雌ネジＦ（図７を参照）を螺合させることにより不用意に外れないように結合・接続するようになっている。
【００３３】
キーボード１３は、図４に示すように、直付け接続（あるいはコネクタ接続でもよい）されている汎用キーボードケーブル１３ｃの端部に設けられているケーブル側キーボードコネクタ１３ｄをＰＣ１１の接続フレーム１１ｆ内のＰＣ側キーボードコネクタ１３ａに結合して接続することができる。また、マウス１４は、図５に示すように、直付け接続（あるいはコネクタ接続でもよい）されている汎用のマウスケーブル１４ｃの端部に設けられているケーブル側マウスコネクタ１４ｄをＰＣ１１の接続フレーム１１ｆ内のＰＣ側マウスコネクタ１４ａに結合して接続することができる。なお、このケーブル側のコネクタ１３ｄ、１４ｄとＰＣ側のコネクタ１３ａ、１４ａは、モニタ用のコネクタと同様に、円形のハウジング内のピン電極を差込穴電極内に差し込んで電気的に導通接続するコネクタ構造に設計されている。
【００３４】
そして、統合ケーブル１０は、モニタケーブル２２、キーボードケーブル２３およびマウスケーブル２４が実質１本に束ねられており、そのモニタケーブル２２の両端部には、汎用のモニタケーブル１２ｃと同様に、ケーブル側モニタコネクタ１２ｄ、１２ｅを備える一方、キーボードケーブル２３の一端部には、汎用のキーボードケーブル１３ｃと同様にケーブル側キーボードコネクタ１３ｄを備えているとともに、マウスケーブル２４の一端部には、汎用のマウスケーブル１４ｃと同様にケーブル側マウスコネクタ１４ｄを備えている。
【００３５】
要するに、統合ケーブル１０の一端部は、ケーブル側モニタコネクタ１２ｄ、ケーブル側キーボードコネクタ１３ｄ、ケーブル側マウスコネクタ１４ｄを備えるケーブル２２〜２４の一端側が分岐されて、ＰＣ１１の接続フレーム１１ｆ内の近傍箇所に配設されているＰＣ側モニタコネクタ１２ａ、ＰＣ側キーボードコネクタ１３ａ、ＰＣ側マウスコネクタ１４ａにそれぞれ結合・接続することができる。すなわち、統合ケーブル１０の一端部（ケーブル２２〜２４の一端部）が第１外部機器のモニタ１２と第２外部機器のキーボード１３やマウス１４をＰＣ１１に接続する接続手段としてのケーブル側のコネクタ１２ｄ〜１４ａを備える集合接続部を構成しており、モニタケーブル２２の他端部が第１外部機器のモニタ１２に接続する接続手段としてのケーブル側モニタコネクタ１２ｅを備える第１接続部を構成している。
【００３６】
この統合ケーブル１０は、モニタケーブル２２の他端部側のケーブル側モニタコネクタ１２ｅの近傍に接続ボックス２５が設けられており、この接続ボックス２５には、そのモニタケーブル２２と一緒に束ねられているキーボードケーブル２３とマウスケーブル２４が内部に引き込まれて、図中左側面側に設置されているＰＣ１１の接続フレーム１２ｆ内と同一種のＰＣ側キーボードコネクタ１３ａとＰＣ側マウスコネクタ１４ａに導通接続されている。
【００３７】
要するに、統合ケーブル１０の他端側は、モニタケーブル２２の他端部のケーブル側モニタコネクタ１２ｅを汎用のモニタケーブル１２ｃと同様にモニタ１２のモニタ側コネクタ１２ｂに結合して接続することができるとともに、その近傍の接続ボックス２５のコネクタ１３ａ、１４ａに汎用のキーボードケーブル１３ｃ端部のケーブル側キーボードコネクタ１３ｄと、汎用のマウスケーブル１４ｃ端部のケーブル側マウスコネクタ１４ｄとを結合して接続することができる。すなわち、この第２外部機器を構成するキーボード１３とマウス１４の汎用のキーボードケーブル１３ｃとマウスケーブル１４ｃとが別ケーブルを構成するとともに、ＰＣ１１側に接続する接続手段としてのケーブル側キーボードコネクタ１３ｄとケーブル側マウスコネクタ１４ｄが別接続部を構成しており、接続ボックス２５はそのケーブル側のコネクタ１３ｄ、１４ｄを接続可能なＰＣ側のコネクタ１３ａ、１４ａを備えて第１接続部のケーブル側モニタコネクタ１２ｅの近傍に設置される第２接続部を構成している。
【００３８】
これにより、統合ケーブル１０は、モニタケーブル２２の両端部のケーブル側モニタコネクタ１２ｄ、１２ｅをＰＣ側モニタコネクタ１２ａとモニタ側コネクタ１２ｂに結合・接続することにより、モニタ１２をＰＣ１１に外部機器として接続することができる。これに加えて、この統合ケーブル１０は、キーボードケーブル２３の一端部のケーブル側キーボードコネクタ１３ｄをＰＣ側キーボードコネクタ１３ａに結合・接続するとともに、マウスケーブル２４の一端部のケーブル側マウスコネクタ１４ｄをＰＣ側マウスコネクタ１４ａに結合・接続することができ、キーボード１３とマウス１４をＰＣ１１に外部機器として接続する際には、その汎用のキーボードケーブル１３ｃ端部のケーブル側キーボードコネクタ１３ｄと、汎用のマウスケーブル１４ｃ端部のケーブル側マウスコネクタ１４ｄを、モニタ１２の背面側の接続フレーム１２ｆ側に位置する接続ボックス２５のＰＣ側キーボードコネクタ１３ａとＰＣ側マウスコネクタ１４ａに結合・接続することができる。
【００３９】
したがって、この統合ケーブル１０は、例えば、ＰＣ１１が遠隔位置に設置されている場合などでも、実質１本に束ねた状態のケーブル２２〜２４をそのＰＣ１１の背面側の接続フレーム１１ｆにそれぞれすっきりとした状態で接続することができるとともに、モニタケーブル２２を接続するモニタ１２の背面側に準備されている接続ボックス２５に、キーボード１３やマウス１４の汎用のキーボードケーブル１３ｃやマウスケーブル１４ｃを必要に応じて容易に接続してレイアウトすることができる。
【００４０】
また、この統合ケーブル１０は、図８に示すように、ケーブル側モニタコネクタ１２ｅと接続ボックス２５の間のモニタケーブル２２を多関節ケース２６内に収容しており、この多関節ケース２６は、ケーブル側モニタコネクタ１２ｅ側からモニタケーブル２２を収容する状態で延長されている延長ケース２７と、この延長ケース２７および接続ボックス２５の双方に対して関節２９を介して相対回動可能に連結されている回動ケース２８と、を組み立てることにより作製されている。この多関節ケース２６の関節２９は、図９に示すように、回動ケース２８の両端部と延長ケース２７および接続ボックス２５の連結箇所とのそれぞれに、互いに対面接触する回動面３１が形成されており、その一方の回動面３１の中心の大突起３２を他方の回動面３１の中心の大収容穴３３内に嵌め込むことにより外れないように回動自在に連結するとともに、その一方の回動面３１の円周上で均等間隔に形成されている小収容穴３５内に他方の回動面３１の円周上で均等間隔に形成されている小突起３４を所定以上の力で嵌め込み位置を変更可能に連結することにより回動位置を保持することができるようになっている。
【００４１】
これにより、この統合ケーブル１０は、図７に示すように、ケーブル側モニタコネクタ１２ｅを結合して接続する接続フレーム１２ｆが窪む構造に設計されている場合でも、多関節ケース２６の回動ケース２８を延長ケース２７と接続ボックス２５に対して相対回動させて相対的な姿勢を変更・調整することにより、その接続ボックス２５を接続フレーム１２ｆ内の外側に位置させることができ、その接続ボックス２５のコネクタ１３ａ、１４ａに汎用のキーボードケーブル１３ｃやマウスケーブル１４ｃの端部のコネクタ１３ｄ、１４ｄを容易に結合して、キーボード１３とマウス１４をＰＣ１１に接続することができる。
【００４２】
このように本実施形態においては、モニタ１２の専用台や専用ケーブルなどを準備することなく、汎用のモニタケーブル１２ｃに代えて統合ケーブル１０を準備するだけで、その統合ケーブル１０の一端側のコネクタ１２ｄ〜１４ｄをＰＣ１１側のコネクタ１２ａ〜１４ａに結合・接続するとともに、他端側のケーブル側モニタコネクタ１２ｅをモニタ１２に結合・接続することにより、他の外部機器のキーボード１３やマウス１４は、汎用のケーブル１３ｃ、１４ｃをそのモニタ１２の背面側に位置する接続ボックス２５のコネクタ１３ａ、１４ａに結合・接続させることができる。したがって、ＰＣ１１の背面側が乱雑になることなく、また、コストを掛けることなく、モニタ１２やキーボード１３やマウス１４をそのＰＣ１１にスッキリと接続・配線することができる。
【００４３】
次に、図１０および図１１は本発明に係る電子計算機用ケーブルの第２実施形態を示す図である。ここで、本実施形態は、上述第１実施形態と略同様に構成されているので、同様な構成には同一の符号を付して特徴部分を説明する（他の実施形態においても同様）。
【００４４】
図１０において、統合ケーブル４０は、上述第１実施形態と同様に、実質１本に束ねられているモニタケーブル２２の両端部にケーブル側モニタコネクタ１２ｄ、１２ｅを、また、キーボードケーブル２３の一端部にケーブル側キーボードコネクタ１３ｄを、マウスケーブル２４の一端部にケーブル側マウスコネクタ１４ｄを備えており、そのキーボードケーブル２３とマウスケーブル２４の他端側には、上述第１実施形態における接続ボックス２５に代えて、そのケーブル２２〜２４の束に固設した固定プレート４１の間に、ＰＣ側キーボードコネクタ１３ａとＰＣ側マウスコネクタ１４ａが第２接続部としてそれぞれ両側に位置するように固定されている。ここで、このＰＣ側キーボードコネクタ１３ａとＰＣ側マウスコネクタ１４ａは、ケーブル側のコネクタ１３ｄ、１４ｄの差込口がケーブル側モニタコネクタ１２ｅの反対側に位置する姿勢で固定プレート４１に取り付けられており、そのケーブル側モニタコネクタ１２ｅが邪魔になることなく、そのケーブル側のコネクタ１３ｄ、１４ｄを結合・接続することができる。
【００４５】
これにより、統合ケーブル４０は、図１１に示すように、接続ボックス２５と同様に、モニタ１２の背面側に位置する固定プレート４１間のＰＣ側キーボードコネクタ１３ａとＰＣ側マウスコネクタ１４ａに、汎用のキーボードケーブル１３ｃ端部のケーブル側キーボードコネクタ１３ｄと汎用のマウスケーブル１４ｃ端部のケーブル側マウスコネクタ１４ｄを容易かつスッキリと結合・接続することができる。また、この統合ケーブル４０は、ケーブル側モニタコネクタ１２ｅと固定プレート４１の間のモニタケーブル２２が露出していて自由に屈曲可能であることから、ケーブル側モニタコネクタ１２ｅを結合・接続するモニタ１２の背面側の接続フレーム１２ｆが窪む構造に設計されている場合でも、そのモニタケーブル２２自体を変形させて相対的な姿勢を調整することができ、コネクタの結合・接続作業を容易化することができる。
【００４６】
このように本実施形態においては、上述第１実施形態と同様の作用効果を得ることができるとともに、上述実施形態における接続ボックス２５や多関節ケース２６を固定プレート４１のみの簡素な構造にしているので、より低コスト化を図ることができる。
【００４７】
次に、図１２および図１３は本発明に係る電子計算機用ケーブルの第３実施形態を示す図である。
【００４８】
図１２において、統合ケーブル５０は、上述第１、２実施形態におけるモニタケーブル２２、キーボードケーブル２３およびマウスケーブル２４に加えて、スピーカケーブル５５が実質１本に束ねられている。
【００４９】
スピーカケーブル５５は、キーボードケーブル２３やマウスケーブル２４と同様に、一端部にＰＣ１１の接続フレーム１１ｆ内に配設されているスピーカジャック１５ａに結合・接続するスピーカプラグ１５ｄを備えており、その他端部には、上述第２実施形態と同様に、ＰＣ１１の接続フレーム１２ｆ内と同一種のスピーカジャック１５ａを備えて、ＰＣ側キーボードコネクタ１３ａおよびＰＣ側マウスコネクタ１４ａと一緒に固定プレート５１の間に固定されている。ここで、スピーカジャック１５ａは、ケーブル側モニタコネクタ１２ｅに対向する位置から外側にずれていて結合・接続作業の妨げにならないことから、ＰＣ側キーボードコネクタ１３ａとＰＣ側マウスコネクタ１４ａと反対側に差込口が位置する姿勢で固定プレート５１に取り付けられているが、同一側にその差込口を配設してもよいことは言うまでもない。
【００５０】
これにより、統合ケーブル５０は、図１３に示すように、上述第２実施形態の統合ケーブル４０における汎用のキーボードケーブル１３ｃやマウスケーブル１４ｃの端部のケーブル側キーボードコネクタ１３ｄやケーブル側マウスコネクタ１４ｄと同様に、ＰＣ１１側から引き出された状態のモニタ１２の背面側のスピーカジャック１５ａに、不図示のスピーカ（第２外部機器）に直付けされているスピーカケーブル（別ケーブル）１５ｃの端部のスピーカプラグ（別接続部）１５ｄを容易かつスッキリと結合させてＰＣ１１に接続することができる。
【００５１】
このように本実施形態においては、上述第１、２実施形態と同様の作用効果を得ることができるとともに、ＰＣ１１の背面側が乱雑になることなく、また、コストを掛けることなく、スピーカケーブル１５ｃをもスッキリと、また、容易にＰＣ１１に接続して配線することができる。
【００５２】
また、本実施形態の他の態様としては、スピーカに直付けされているスピーカケーブル１５ｃに限るものではなく、例えば、図１４に示すように、モニタに内蔵されているスピーカのジャックに接続するスピーカプラグ１５ｄ´を他端側に備えるスピーカケーブル１５ｃ´の一端側のスピーカプラグ１５ｄを、同様に、ＰＣ１１に接続することもできることは言うまでもない。この他の態様は、キーボードやマウスなどの外部機器を含めて他の実施形態においても同様である。
【００５３】
次に、図１５および図１６は本発明に係る電子計算機用ケーブルの第４実施形態を示す図である。
【００５４】
図１５において、統合ケーブル６０は、上述第１〜３実施形態におけるモニタケーブル２２、キーボードケーブル２３、マウスケーブル２４およびスピーカケーブル５５に加えて、ＵＳＢケーブル６６が実質１本に束ねられている。
【００５５】
ＵＳＢケーブル６６は、キーボードケーブル２３やマウスケーブル２４やスピーカケーブル５５と同様に、一端部にＰＣ１１の接続フレーム１１ｆ内に配設されているＰＣ側ＵＳＢコネクタ１６ａに結合・接続するケーブル側ＵＳＢコネクタ１６ｄを備えており、その他端部には、上述第１実施形態と同様に、モニタケーブル２２の他端部側のケーブル側モニタコネクタ１２ｅの近傍に設けられて第２接続部を構成する接続ボックス６５内に、そのケーブル２２〜２４、５５の束と一緒に引き込まれて、ＰＣ１１の接続フレーム１２ｆ内と同一種のスピーカジャック１５ａと共にＰＣ側ＵＳＢコネクタ１６ａが両側面側のそれぞれ２箇所、計４箇所に設置されている。なお、このＰＣ側ＵＳＢコネクタ１６ａの配設数は、４箇所に限るものではないことは言うまでもない。
【００５６】
ここで、接続ボックス６５は、図１６（ａ）に示すように、上述第１実施形態の接続ボックス２５と同様に、キーボードケーブル２３とマウスケーブル２４の他端部のＰＣ側キーボードコネクタ１３ａとＰＣ側マウスコネクタ１４ａが左側面側（図１５（ｂ）を参照）に設置されており、スピーカケーブル５５の他端部のスピーカジャック１５ａは、右側面側（図１５（ｃ）を参照）に設置されている。また、接続ボックス６５は、上述第１実施形態の接続ボックス２５と同様に、多関節ケース２６を介してモニタケーブル１２の他端部のケーブル側モニタコネクタ１２ｅに連設されており、モニタ１２に対する相対的な姿勢を変更・調整することにより、その背面側の接続フレーム１２ｆ内の外側に位置させて各種ケーブル１３ｃ〜１６ｃの端部のコネクタ１３ｄ〜１６ｄの結合・接続作業を容易化することができる。
【００５７】
この接続ボックス６５は、ＰＣ１１側にケーブル側ＵＳＢコネクタ１６ｄを結合・接続するＵＳＢケーブル６６を、両側面側に配設されている４箇所のＰＣ側ＵＳＢコネクタ１６ａに分岐させて、それぞれ汎用のＵＳＢケーブル１６ｃに接続されている各種周辺機器（第２外部機器）を稼動させることから、図１６（ｂ）に示すように、ネットワークを構築するハブ（ＨＵＢ）として機能するようにハブ制御部６７を内蔵しており、このハブ制御部６７を介してＵＳＢケーブル６６を４箇所のＰＣ側ＵＳＢコネクタ１６ａに分岐・接続させている。
【００５８】
これにより、統合ケーブル６０は、上述第１〜３実施形態の統合ケーブル１０、４０、５０と同様に、モニタ１２の接続フレーム１２ｆに対する接続ボックス６５の位置や姿勢を多関節ケース２６により変更・調整可能にしつつ、汎用のキーボードケーブル１３ｃやマウスケーブル１４ｃの端部のケーブル側キーボードコネクタ１３ｄやケーブル側マウスコネクタ１４ｄに加えて、不図示のスピーカに直付けされているスピーカケーブル１５ｃの端部のスピーカプラグ１５ｄを、モニタ１２の背面側の接続ボックス６５に準備されているスピーカジャック１５ａに容易かつスッキリと結合・接続することができるとともに、さらに、その接続ボックス６５に準備されている複数のＰＣ側ＵＳＢコネクタ１６ａに、例えば、汎用のＵＳＢケーブル１６ｃの端部のケーブル側ＵＳＢコネクタ（別接続部）１６ｄを容易かつスッキリと結合させて不図示のプリンタやスキャナなどの各種周辺機器（第２外部機器）の複数をＰＣ１１に接続することができる。
【００５９】
このように本実施形態においては、上述第１〜３実施形態と同様の作用効果を得ることができるとともに、ＰＣ１１の背面側が乱雑になることなく、また、コストを掛けることなく、プリンタやスキャナなどの各種周辺機器の複数をＵＳＢケーブル１６ｃによりスッキリと、また、容易に配線することができる。
【００６０】
次に、図１７および図１８は本発明に係る電子計算機用ケーブルの第５実施形態を示す図である。
【００６１】
図１７において、統合ケーブル７０は、上述第３実施形態における固定プレート５１に代えて、スピーカケーブル５５のケーブル側モニタコネクタ１２ｅと共に、ＰＣ側キーボードコネクタ１３ａ、ＰＣ側マウスコネクタ１４ａおよびスピーカジャック１５ａが、他端部の先端に位置するように固定プレート７１の間で固定されている。ここで、このＰＣ側キーボードコネクタ１３ａとＰＣ側マウスコネクタ１４ａとスピーカジャック１５ａは、ケーブル側モニタコネクタ１２ｅと並列に固定プレート７１に固定することから、差込口がケーブル側モニタコネクタ１２ｅと反対側に位置する姿勢で取り付けられている。
【００６２】
これにより、統合ケーブル７０は、図１８に示すように、モニタケーブル２２の端部のケーブル側モニタコネクタ１２ｅをモニタ１２の背面側の接続フレーム１２ｆに結合・接続して固定されている状態にすると、並列されているケーブル側のコネクタ１３ｄ、１４ｄやスピーカプラグ１５ｄも同様にモニタ１２の背面の接続フレーム１２ｆ内に固定されている状態にすることができ、この状態のまま汎用のキーボードケーブル１３ｃやマウスケーブル１４ｃやスピーカケーブル１５ｃの端部のケーブル側キーボードコネクタ１３ｄやケーブル側マウスコネクタ１４ｄやスピーカプラグ１５ｄを容易に結合させて接続することができる。
【００６３】
このように本実施形態においては、上述第３実施形態と同様の作用効果を得ることができるとともに、モニタ１２の背面側でキーボードケーブル２３の他端部のＰＣ側キーボードコネクタ１３ａなどがぶら下がった状態になることなく、汎用のキーボードケーブル１３ｃの端部のケーブル側キーボードコネクタ１３ｄを容易に結合・接続することができ、スッキリと配線することができる。
【００６４】
次に、図１９および図２０は本発明に係る電子計算機用ケーブルの第６実施形態を示す図である。
【００６５】
図１９において、統合ケーブル８０は、上述第３実施形態と同様に、モニタケーブル２２、キーボードケーブル２３およびマウスケーブル２４が実質１本に束ねられている。この統合ケーブル８０の他端側では、上述第３実施形態と同様に、モニタケーブル２２の他端部のケーブル側モニタコネクタ１２ｅの近傍に、キーボードケーブル２３やマウスケーブル２４の他端部のＰＣ側キーボードコネクタ１３ａとＰＣ側マウスコネクタ１４ａが固定プレート５１の間で固定されている。
【００６６】
一方、この統合ケーブル８０の一端部（集合接続部）は、上述第３実施形態がモニタケーブル２２、キーボードケーブル２３およびマウスケーブル２４を分岐させてそれぞれの端部にケーブル側モニタコネクタ１２ｄ、ケーブル側キーボードコネクタ１３ｄおよびケーブル側マウスコネクタ１４ｄをそれぞれ備えているのに対して、一つのケーブル側統合コネクタ８０ｄにまとめられている。このケーブル側統合コネクタ８０ｄは、ハウジング８１の両側に立設されている雄ネジＭを、図２０に示すＰＣ１１の背面側の接続フレーム１１ｆに準備されているＰＣ側統合コネクタ８５のハウジング８６の両側に立設されている雌ネジＦに螺合させることにより、そのハウジング８１、８６同士の結合が不用意に外れないように接続するようになっている。
【００６７】
具体的には、ケーブル側統合コネクタ８０ｄは、図１９（ｃ）に示すように、ケーブル側モニタコネクタ１２ｄ、１２ｅと同様に、ハウジング８１内に必要な本数分のピン電極（多極の接続端子）８２が立設されており、そのピン電極８２は、ケーブル側モニタコネクタ１２ｄに対応するモニタピン電極８２ａと、ケーブル側キーボードコネクタ１３ｄに対応するキーボードピン電極８２ｂと、ケーブル側マウスコネクタ１４ｄに対応するマウスピン電極８２ｃと、を備えている。
【００６８】
一方、ＰＣ側統合コネクタ８５は、図２０（ｂ）に示すように、ＰＣ側モニタコネクタ１２ａやモニタ側コネクタ１２ｂと同様に、ハウジング８６内に必要な本数分の差込穴電極（多極の接続端子）８７が埋め込まれており、その差込穴電極８７は、ＰＣ側モニタコネクタ１２ａに対応するモニタ差込穴電極８７ａと、ＰＣ側キーボードコネクタ１３ａに対応するキーボード差込穴電極８７ｂと、ＰＣ側マウスコネクタ１４ａに対応するマウス差込穴電極８７ｃと、を備えている。
【００６９】
そして、ＰＣ側統合コネクタ８５は、図２０に示すように、ＰＣ１１の背面側の接続フレーム１１ｆに予め準備されている不図示の拡張スロット内に差込可能に設計されている拡張ボードＢに設置されており、この拡張ボードＢをＰＣ１１側に取り付けることによりそのＰＣ側統合コネクタ８５に統合ケーブル８０のケーブル側統合コネクタ８０ｄを結合・接続することができる。
【００７０】
これにより、統合ケーブル８０は、一端部側では、モニタケーブル２２、キーボードケーブル２３およびマウスケーブル２４の一端部を分岐させてそれぞれのコネクタ１２ａ、１３ａ、１４ａに結合・接続することなく、ケーブル側統合コネクタ８０ｄをＰＣ１１の背面側に準備されているＰＣ側統合コネクタ８５に結合するだけで、容易かつスッキリと接続することができ、一方の他端部側では、上述第３実施形態と同様に、ケーブル側モニタコネクタ１２ｅをモニタ側コネクタ１２ｂに結合してモニタ１２をＰＣ１１に接続することができるとともに、その他端部側のＰＣ側キーボードコネクタ１３ａとＰＣ側マウスコネクタ１４ａに汎用のキーボードケーブル１３ｃやマウスケーブル１４ｃの端部のケーブル側キーボードコネクタ１３ｄとケーブル側マウスコネクタ１４ｄを結合してキーボード１３やマウス１４をＰＣ１１に接続することができる。
【００７１】
このように本実施形態においては、上述第３実施形態と同様の作用効果を得ることができるとともに、ＰＣ１１の背面側をよりスッキリと、また、容易に接続・配線することができる。さらに、従来のＰＣ１１側のコネクタ１２ａ〜１６ａに上述実施形態における統合ケーブルを接続することにより、１台のＰＣ１１に複数台のモニタ１２やキーボード１３やマウス１４などの周辺機器を接続して増設可能にすることができる。
【００７２】
また、本実施形態の第１の他の態様としては、モニタ１２やキーボード１３やマウス１４のコネクタに限るものではなく、他のスピーカやＵＳＢなどのコネクタも同様にハウジング内のピン電極と差込穴電極に割り振って、ＰＣ１１に接続可能にすることもできることは言うまでもない。
【００７３】
さらに、本実施形態の第２の他の態様としては、図２１に示すように、上述実施形態における従来と同一種のＰＣ側のコネクタ１２ａ〜１６ａを拡張ボードＢに設置することによっても、１台のＰＣ１１に複数台のモニタ１２やキーボード１３やマウス１４などの周辺機器を接続して増設可能にすることができる。
【００７４】
次に、図２２〜図２４は本発明に係る電子計算機用ケーブルの第７実施形態を示す図である。
【００７５】
図２２において、統合ケーブル９０は、上述第４実施形態と同様に、モニタケーブル２２、キーボードケーブル２３、マウスケーブル２４、スピーカケーブル５５およびＵＳＢケーブル６６が実質１本に束ねられており、その一端部では、これらのケーブル２２〜２４、５５、６６が分岐されてその端部のケーブル側のコネクタ１２ｄ〜１６ｄのそれぞれをＰＣ１１の接続フレーム１１ｆのＰＣ側のコネクタ１２ａ〜１６ａに結合・接続させることができる。
【００７６】
一方、統合ケーブル９０の他端部側では、上述第４実施形態と同様に、モニタケーブル２２のケーブル側モニタコネクタ１２ｅの近傍に設けられている中継ボックス９５内に、各種ケーブル２２〜２４、５５、６６の束が引き込まれている。この中継ボックス９５の右側面側には、そのうちのスピーカケーブル５５の端部のスピーカジャック１５ａが設置されており、その左側側面からは、キーボードケーブル２３、マウスケーブル２４およびＵＳＢケーブル６６が束ねられた状態のまま分岐されて接続ボックス９６内にその端部を引き込まれている。この接続ボックス９６は、上述第４実施形態と同様に、ＰＣ１１の接続フレーム１２ｆ内と同一種のＰＣ側キーボードコネクタ１３ａ、ＰＣ側マウスコネクタ１４ａおよびＰＣ側ＵＳＢコネクタ１６ａが設置されて、そのケーブル２３、２４、６６が接続されている。すなわち、中継ボックス９５と接続ボックス９６が第２接続部を構成しており、その中継ボックス９５から引き出されているキーボードケーブル２３、マウスケーブル２４およびＵＳＢケーブル６６が分岐ケーブルを構成している。
【００７７】
ここで、中継ボックス９５は、上述第４実施形態の接続ボックス６５と同様に、多関節ケース２６を介してモニタケーブル１２の他端部のケーブル側モニタコネクタ１２ｅに連設されており、モニタ１２に対する相対的な姿勢を変更・調整することにより、その背面側の接続フレーム１２ｆ内の外側に位置させてスピーカケーブル１５ｃの端部のスピーカプラグ１５ｄの結合・接続作業を容易化することができる。なお、ここでは、中継ボックス９５には、スピーカケーブル１５ｃの端部のスピーカジャック１５ａのみを配設しているが、他のコネクタ、例えば、ＰＣ側キーボードコネクタ１３ａやＰＣ側マウスコネクタ１４ａやＰＣ側ＵＳＢコネクタ１６ａなどを設置してもよいことはいうまでもない。
【００７８】
そして、接続ボックス９６は、キーボードケーブル２３、マウスケーブル２４およびＵＳＢケーブル６６の他端部のＰＣ側キーボードコネクタ１３ａ、ＰＣ側マウスコネクタ１４ａおよびＰＣ側ＵＳＢコネクタ１６ａがそのケーブルの延在方向の前面側（図中の左側面側）に設置されており、そのうちのＰＣ側ＵＳＢコネクタ１６ａは、その前面側の２箇所（２箇所に限るものではないことはいうまでもない）に並列されている。また、この接続ボックス９６は、上述第４実施形態の接続ボックス６５の場合と同様に、ＵＳＢケーブル６６を２箇所のＰＣ側ＵＳＢコネクタ１６ａに分岐・接続して、それぞれ汎用のＵＳＢケーブル１６ｃの端部のケーブル側ＵＳＢコネクタ１６ｄを接続可能なネットワークを構築するハブ（ＨＵＢ）として機能するようにハブ制御部を内蔵している。
【００７９】
また、この接続ボックス９６は、そのままモニタ１２の下部など作業者の視認可能な位置に載置することができるようにボックス形状に形成されているとともに、図２３に示すように、その上面側にはクリップ（固定手段）９７が取り付けられており、このクリップ９７は、図２４に示すように、一対の板状部材９７ａの先端側が接近する方向にコイルバネ９７ｃにより付勢されている。
【００８０】
これにより、この統合ケーブル９０は、上述第４実施形態の統合ケーブル６０と同様に、モニタ１２の接続フレーム１２ｆに対する中継ボックス９５の位置や姿勢を多関節ケース２６により変更・調整しつつ、汎用のスピーカケーブル１５ｃの端部のスピーカプラグ１５ｄをモニタ１２の背面側の中継ボックス９５に準備されているスピーカジャック１５ａに容易かつスッキリと結合・接続することができる。また、この統合ケーブル９０は、例えば、接続ボックス９６をモニタ１２の下部付近に載置することにより、ＰＣ１１側からモニタ１２の背面側を中継して引き出された状態のＰＣ側キーボードコネクタ１３ａやＰＣ側マウスコネクタ１４ａやＰＣ側ＵＳＢコネクタ１６ａに、汎用のキーボードケーブル１３ｃやマウスケーブル１４ｃやＵＳＢケーブル１６ｃの端部のケーブル側キーボードコネクタ１３ｄやケーブル側マウスコネクタ１４ｄやケーブル側ＵＳＢコネクタ１６ｄを、そのモニタ１２の前面側からより容易かつスッキリと結合・接続することができる。さらに、この接続ボックス９６は、コイルバネ９７ｃにより付勢されている板状部材９７ａの基端部を、そのコイルバネ９７ｃの付勢力に抗するように摘んでその先端部の間を拡開させることにより、例えば、モニタ１２の下端部（他の外部機器や部材でもよい）に動かないように設置することができ、そのＰＣ側ＵＳＢコネクタ１６ａにＵＳＢケーブル１６ｃの端部のケーブル側ＵＳＢコネクタ１６ｄを結合・接続したり、その結合接続を解除して外す作業を容易に行うことができる。
【００８１】
このように本実施形態においては、上述第４実施形態と同様の作用効果を得ることができるとともに、ＰＣ１１の背面側が乱雑になることなく、また、コストを掛けることなく、作業位置側のモニタ１２の前面側からキーボードやマウスなどの各種周辺機器をより容易かつスッキリとＰＣ１１に接続することができる。
【００８２】
また、本実施形態の第１の他の態様としては、クリップ９７に代えて、例えば、図２５に示すように、モニタ１２の下端部に面ファスナーのループ側部材９８ａを固設するとともに、接続ボックス９６の上面に面ファスナーのフック側部材９８ｂを固設することにより、その面ファスナーのループ側部材９８ａにフック側部材９８ｂを引っ掛けた状態にして固定するようにしてもよい。さらに、本実施形態の第２の他の態様としては、クリップ９７に代えて、例えば、図２６に示すように、モニタ１２の下端部と接続ボックス９６の上面に、互いに反対方向に延在するフック部材９９ａ、９９ｂをそれぞれ固設することにより、モニタ１２の下端部と接続ボックス９６の上面との間に形成する隙間９９ｓ内にそのフック部材９９ａ、９９ｂを差し込んで引っ掛けた状態にして固定するようにしてもよい。これらのいずれの場合でも、本実施形態と同様の作用効果を得ることができる。この他の態様は、以下で説明する他の実施形態にも適用可能であることはいうまでもない。なお、この他の態様でモニタ１２の下端部に固設する面ファスナーのループ側部材９８ａやフック部材９９ａは、プレート９６ｐを両面テープ９６ｔで貼付するなどして固定すればよい。
【００８３】
次に、図２７は本発明に係る電子計算機用ケーブルの第８実施形態を示す図である。
図２７において、統合ケーブル１００は、モニタケーブル２２を除く、キーボードケーブル２３、マウスケーブル２４およびＵＳＢケーブル６６が実質１本に束ねられている。この統合ケーブル１００の一端部では、これらのケーブル２３、２４、６６が分岐されてその端部のケーブル側のコネクタ１３ｄ、１４ｄ、１６ｄをＰＣ１１の接続フレーム１１ｆ内のＰＣ側のコネクタ１３ａ、１４ａ、１６ａにそれぞれ結合・接続させることができる。一方、この統合ケーブル１００の他端部側では、上述第７実施形態における中継ボックス９５を介すことなく、これらのケーブル２３、２４、６６が接続ボックス９６内に直接その端部を引き込まれてＰＣ側キーボードコネクタ１３ａ、ＰＣ側マウスコネクタ１４ａおよびＰＣ側ＵＳＢコネクタ１６ａに接続されている。すなわち、ここでは、例えば、キーボード１３またはマウス１４の一方あるいは双方が第１外部機器を構成して、この接続ボックス９６のＰＣ側キーボードコネクタ１３ａまたはＰＣ側マウスコネクタ１４ａの一方あるいは双方が第１接続部を構成するとともにＰＣ側ＵＳＢコネクタ１６ａが第２接続部を構成することになる。
【００８４】
ここで、この統合ケーブル１００には、モニタケーブル２２とスピーカケーブル５５が束ねられていないことから、図６に示す汎用のモニタケーブル１２ｃの両端部に設けられているケーブル側モニタコネクタ１２ｄ、１２ｅをモニタ側コネクタ１２ｂとＰＣ側モニタコネクタ１２ａにそれぞれ結合させて接続することによりモニタ１２とＰＣ１１を接続するとともに、スピーカを外部機器として接続する場合には、汎用のスピーカケーブル１５ｃをＰＣ１１側のスピーカジャック１５ａに直接接続すればよい。また、スピーカを外部機器として接続する場合には、上述実施形態のように、モニタケーブル２２とスピーカケーブル５５を束ねた統合ケーブルを設計してそのケーブル側モニタコネクタ１２ｅの近傍位置に準備したスピーカジャック１５ａに汎用のスピーカケーブル１５ｃの端部のスピーカプラグ１５ｄを接続できるようにしてもよい。
【００８５】
これにより、統合ケーブル１００は、上述第７実施形態の統合ケーブル９０と同様に、汎用のキーボードケーブル１３ｃやマウスケーブル１４ｃやＵＳＢケーブル１６ｃの端部のケーブル側キーボードコネクタ１３ｄやケーブル側マウスコネクタ１４ｄやケーブル側ＵＳＢコネクタ１６ｄを、例えば、モニタ１２の下部に載置されたり、そのモニタ１２の下端部に設置された接続ボックス９６のＰＣ側キーボードコネクタ１３ａやＰＣ側マウスコネクタ１４ａやＰＣ側ＵＳＢコネクタ１６ａに、そのモニタ１２の前面側から容易かつスッキリと結合・接続することができる。
【００８６】
このように本実施形態においては、上述第７実施形態と同様の作用効果を得ることができるとともに、モニタ１２やスピーカなどのように、作業で頻繁に接続したり外す必要のないケーブルとは別系統にして接続・配線することができ、ＰＣ１１の背面側が乱雑になることなく、また、コストを掛けることなく、キーボードやマウスなどの各種周辺機器を作業位置側のモニタ１２の前面側から容易かつスッキリとＰＣ１１側に接続することができる。
【００８７】
また、本実施形態の他の態様としては、汎用のモニタケーブル１２ｃやスピーカケーブル１５ｃによりモニタ１２やスピーカを別系統にしてＰＣ１１に接続するのではなく、このモニタ１２やスピーカ用のケーブル２２、５５を同様に直接接続ボックス９６内に引き込んで、汎用のモニタケーブル１２ｃやスピーカケーブル１５ｃも接続ボックス９６側に結合・接続するようにして、モニタ１２やスピーカもそのモニタ１２の前面側から接続作業を行い得るようにしてもよい。
【産業上の利用可能性】
【００８８】
これまで本発明の一実施形態について説明したが、本発明は上述の実施形態に限定されず、その技術的思想の範囲内において種々異なる形態にて実施されてよいことは言うまでもない。
【図面の簡単な説明】
【００８９】
【図１】本発明に係る電子計算機用ケーブルの第１実施形態を示す図であり、（ａ）はその概略全体構成を示す平面図、（ｂ）はその要部構成を示す側面図である。
【図２】そのケーブルの電子計算機への接続を説明する図であり、（ａ）はその側面図、（ｂ）はその接続箇所を示す平面図である。
【図３】そのケーブルのモニタへの接続を示す側面図である。
【図４】その電子計算機に接続するキーボードを示す斜視図である。
【図５】その電子計算機に接続するマウスを示す斜視図である。
【図６】その電子計算機にモニタを接続する汎用のモニタケーブルを示す平面図である。
【図７】そのケーブルのモニタへの接続時の姿勢を示す要部の拡大側面図である。
【図８】そのケーブルのモニタ側近傍の構造を示す透視平面図である。
【図９】そのケーブルのモニタ側近傍の回動機構を示す図であり、（ａ）（ｂ）は互いに対面接触させて回動位置を保持する構造を示す平面図である。
【図１０】本発明に係る電子計算機用ケーブルの第２実施形態を示す図であり、（ａ）はその概略全体構成を示す平面図、（ｂ）はその要部構成を示すＡ矢視図である。
【図１１】そのキーボードケーブルやマウスケーブルの接続状態を示す平面図である。
【図１２】本発明に係る電子計算機用ケーブルの第３実施形態を示す図であり、（ａ）はその概略全体構成を示す平面図、（ｂ）はその要部構成を示すＡ矢視図である。
【図１３】そのキーボードケーブルやマウスケーブルやスピーカケーブルの接続状態を示す平面図である。
【図１４】そのスピーカケーブルの接続状態の他の態様を示す平面図である。
【図１５】本発明に係る電子計算機用ケーブルの第４実施形態を示す図であり、（ａ）はその概略全体構成を示す平面図、（ｂ）はその要部構成を示す左側面図、（ｃ）はその要部構成を示す右側面図である。
【図１６】そのケーブルのモニタ側近傍の構造を示す図であり、（ａ）はその透視平面図、（ｂ）はそのＵＳＢのハブ接続を示す回路図である。
【図１７】本発明に係る電子計算機用ケーブルの第５実施形態を示す図であり、（ａ）はその概略全体構成を示す平面図、（ｂ）はその要部構成を示すＡ矢視図である。
【図１８】そのキーボードケーブルやマウスケーブルやスピーカケーブルの接続状態を示す平面図である。
【図１９】本発明に係る電子計算機用ケーブルの第６実施形態を示す図であり、（ａ）はその概略全体構成を示す平面図、（ｂ）はその要部構成を示すＡ矢視図、（ｃ）はその要部構成を示すＢ矢視図である。
【図２０】そのケーブルを接続する電子計算機側を示す図であり、（ａ）はその接続を可能にする拡張ボードを示す平面図、（ｂ）はその拡張ボードの接続側を示す正面図である。
【図２１】その拡張ボードの応用例を示す図であり、（ａ）はその接続を可能にする拡張ボードを示す平面図、（ｂ）はその拡張ボードの接続側を示す正面図である。
【図２２】本発明に係る電子計算機用ケーブルの第６実施形態を示す図であり、その概略全体構成を示す平面図である。
【図２３】その要部の構造を示す図であり、（ａ）はその側面図、（ｂ）はその使用時に前面側となる正面図である。
【図２４】そのケーブルのモニタへの接続状態を示す図であり、（ａ）はその側面図、（ｂ）はその正面図である。
【図２５】その第１の他の態様を示す図であり、その側面図である。
【図２６】その第２の他の態様を示す図であり、その側面図である。
【図２７】本発明に係る電子計算機用ケーブルの第７実施形態を示す図であり、（ａ）はその概略全体構成を示す平面図、（ｂ）は要部を示す側面図、（ｂ）はその要部の使用時に前面側となる正面図である。
【符号の説明】
【００９０】
１０、４０、５０、６０、７０、８０、９０、１００……統合ケーブル    １１……パーソナルコンピュータ（ＰＣ）    １２……モニタ    １２ａ……ＰＣ側モニタコネクタ    １２ｂ……モニタ側コネクタ    １２ｃ、２２……モニタケーブル    １２ｄ、１２ｅ……ケーブル側モニタコネクタ    １３……キーボード    １３ａ……ＰＣ側キーボードコネクタ    １３ｃ、２３……キーボードケーブル    １３ｄ……ケーブル側キーボードコネクタ    １４……マウス    １４ａ……ＰＣ側マウスコネクタ    １４ｃ、２４……マウスケーブル    １４ｄ……ケーブル側マウスコネクタ    １５ａ……スピーカジャック    １５ｃ、１５ｃ´、５５……スピーカケーブル    １５ｄ、１５ｄ´……ケーブル側スピーカプラグ    １６ａ……ＰＣ側ＵＳＢコネクタ    １６ｃ、６６……ＵＳＢケーブル    １６ｄ……ケーブル側ＵＳＢコネクタ    ２５、６５、９６……接続ボックス    ２６……多関節ケース    ２７……延長ケース    ２８……回動ケース    ２９……関節    ３１……回動面    ３２……大突起    ３３……大収容穴    ３４……小突起    ３５……小収容穴    ４１、５１、７１……固定プレート    ６７……ハブ制御部    ８０ｄ……ケーブル側統合コネクタ    ８１、８６……ハウジング    ８２、８２ａ、８２ｂ、８２ｃ……ピン電極    ８５……ＰＣ側統合コネクタ    ８７、８７ａ、８７ｂ、８７ｃ……差込穴電極    ９５……中継ボックス    ９５……直接接続ボックス    ９７……クリップ    ９７ａ……板状部材    ９７ｃ……コイルバネ    ９８ｂ……フック側部材（面ファスナ）    ９８ａ……ループ側部材（面ファスナ）    ９９ａ、９９ｂ……フック部材    ９９ｓ……隙間    Ｂ……拡張ボード    Ｆ……雌ネジ    Ｍ……雄ネジ
【図１】
2008242937.tif 000003
【図２】
2008242937.tif 000004
【図３】
2008242937.tif 000005
【図４】
2008242937.tif 000006
【図５】
2008242937.tif 000007
【図６】
2008242937.tif 000008
【図７】
2008242937.tif 000009
【図８】
2008242937.tif 000010
【図９】
2008242937.tif 000011
【図１０】
2008242937.tif 000012
【図１１】
2008242937.tif 000013
【図１２】
2008242937.tif 000014
【図１３】
2008242937.tif 000015
【図１４】
2008242937.tif 000016
【図１５】
2008242937.tif 000017
【図１６】
2008242937.tif 000018
【図１７】
2008242937.tif 000019
【図１８】
2008242937.tif 000020
【図１９】
2008242937.tif 000021
【図２０】
2008242937.tif 000022
【図２１】
2008242937.tif 000023
【図２２】
2008242937.tif 000024
【図２３】
2008242937.tif 000025
【図２４】
2008242937.tif 000026
【図２５】
2008242937.tif 000027
【図２６】
2008242937.tif 000028
【図２７】
2008242937.tif 000029